(57)【特許請求の範囲】
【請求項１】
機器ケーシング内に配線基板が設けられ、この配線基板上に複数のタクトスイッチが間隔をあけて配置され、前記各タクトスイッチをこれらのタクトスイッチに対応する押し釦を介してそれぞれＯＮ／ＯＦＦする電子機器の押し釦装置において、
前記配線基板上の前記各タクトスイッチに対向して配設され、前記各押し釦をスライド可能に支持する枠状開口部を備えた支持板と、前記各枠状開口部内に配置され、前記押し釦をその押し込み方向に抗するように弾性的に支持する押圧部とを備え、
前記各押し釦の裏面には、前記枠状開口部内に嵌挿可能なガイド枠部材を突設するとともに、前記支持板の枠状開口部の下端周縁に係止可能な係止具を備えた係止片を突設し、
前記各押し釦の裏面に、少なくとも1本の位置決めピンを前記ガイド枠部材から離して突設するとともに、前記支持板の各枠状開口部の近傍に前記位置決めピンを嵌挿可能なピン孔を設け、
前記各枠状開口部内に前記押し釦に対応して弾性アーム片の基端を連設し、前記弾性アーム片の先端部に前記押圧部を前記タクトスイッチに対向させて設けたことを特徴とする電子機器の押し釦装置。
【請求項２】
前記支持板の前記各枠状開口部の形状を一部または全部共通にするとともに、前記各押し釦のガイド枠部材の形状を一部または全部共通にし、前記ガイド枠部材の形状が共通する前記各押し釦は、前記位置決めピンの突設位置を相互に異ならせ、それらの各位置決めピンに対応させて前記支持板にピン孔を設けたことを特徴とする請求項１記載の電子機器の押し釦装置。
【請求項３】
前記各押し釦の裏面に、常態で対応する前記押圧部に当接する突起部を突設したことを特徴とする請求項１または２記載の電子機器の押し釦装置。
【発明の詳細な説明】
【技術分野】
【０００１】
本発明は、緊急告知放送受信機やラジオやインターホンの親機などの電子機器における押し釦装置に関するものである。
【背景技術】
【０００２】
従来、この種の電子機器の押し釦装置では、図８または図９に示すように、押し釦５１または６１に対向して位置するようにタクトスイッチ５２または６２が配線基板５３または６３上に設けられている。そして、押し釦５１または６１の中央を押すことで押圧部５４または６４にてタクトスイッチ５２または６２が押されてＯＮされ、電子機器が所定の動作を行うようになっている。
【０００３】
また、そのような押し釦装置では、図８または図９に示すように押し釦５１または６１が、正面カバー部材５５または６５の開口部周壁５５ａまたは凹状のガイド枠６５ａにて取り囲まれており、押し釦５１または６１の回転が規制されるとともに、押し釦５１または６１を押したときに開口部周壁５５ａまたはガイド枠６５ａに沿ってガイドされることにより、スイッチがＯＮされ、電子機器が所定の動作が行われるだけでなく、使用者にスイッチがＯＮされたことを知らせるために押し釦の、機能などを表示した表示部をＬＥＤで照明するようにしたものが知られている（例えば、特許文献１，２参照）。
【０００４】
そのような装置では、配線基板上の、押し釦に対向する位置にＬＥＤが設けられ、そのＬＥＤを点灯させてそのＬＥＤの発光にて押し釦の表示部を表示させるスイッチは、押し釦に対して偏倚して設けられている。このようにＬＥＤを点灯させるためのスイッチが押し釦に対して偏倚して設けられていると、使用者が、押し釦の、スイッチが設けられている側の端部を押す場合と、押し釦の中央部分を押す場合と、押し釦の、スイッチが設けられていない側の端部を押す場合とで、タクトスイッチをＯＮさせるために必要とされる押圧力が異なる。そのため、押し釦を押すときに使用者の受ける感触が異なることになり、使用者が違和感を感じるおそれがある。
【０００５】
そこで、押し釦による押圧部、ＬＥＤおよびタクトスイッチの位置関係を工夫することにより、押し釦の表示部に影を生じさせることなく、押し釦のいずれの位置を押してもほぼ同じ押圧力でタクトスイッチをＯＮすることができる電子機器における押し釦装置が提供されている（例えば、特許文献３参照）。
【特許文献１】特開平０６−１７１３４５号公報
【特許文献２】特開平０９−１３９１３６号公報
【特許文献３】特開２００６−７９９４０号公報
【発明の開示】
【発明が解決しようとする課題】
【０００６】
ところで、例えば上記した緊急告知放送用受信機では、緊急告知放送の受信以外に、ＦＭラジオ、時計機能、アラーム機能など多数の機能を備えるのが一般的であり、このような場合、機能を切り替えるのをはじめ、多数の切替操作が必要になることから、複数（例えば５〜６以上）のスイッチを操作するための押し釦が具備される。また、受信機の構造を簡略にして薄型化を図る上ではタクトスイッチが有利である。しかし、タクトスイッチはＯＮ／ＯＦＦ操作時のストロークが０．２ｍｍ〜０．３ｍｍ程度と非常に短いことから、押し釦のガイド部と被ガイド部間に僅かな隙間があっても操作時に押し釦ががたついたり、傾斜したり、回転したりするおそれがある。そこで、上記の特許文献１〜３に記載の装置では、押し釦が傾いたり回転したりしないように規制する開口部周壁やガイド枠が、筐体の表面において押し釦の周囲に設けられている。
【０００７】
一方、そのようなガイド枠を設けると、装置全体の厚みが増し構造が複雑になるほか、押し釦を開口部内やガイド枠内に収める必要があるために、押し釦の大きさがかなり制限される。そこで、複数の各押し釦を筐体の表面に露呈させた状態で配置すれば、押し釦の大きさを拡大できる。また、押し釦の表面には、その機能や種類などを識別できるように記号や文字などが表示される。このような場合、押し釦の組み付け時に組み付け方向（上下あるいは左右）を規制したり、タクトスイッチとの関係で誤挿入を防止したりしなければならない。さらに、複数の押し釦を限られた位置にできるだけコンパクトに配置し、デザイン的にも見栄えの良いものにするために、例えば板状の矩形にし、並べて配置しようとすると、隣接する押し釦の隙間を一定にし且つ平行に保つ必要がある。また、上記のように、タクトスイッチはＯＮ／ＯＦＦ操作時のストロークが極めて短いことから、操作性を良好にするためにはストロークをある程度伸ばす必要がある。さらに、押し釦を押してタクトスイッチを操作する際にスムーズに操作できるようにするには、押し釦をガイドするための、押し釦側のガイド部と相手方の被ガイド部との間に、ある程度の隙間を設ける必要がある。このような場合、押し釦の周囲には枠がないから、押し釦の回り止めが必要になる。
【０００８】
本発明は上述の点に鑑みなされたもので、表面に露呈した状態で並べて配置され、記号や文字などを表示して識別される複数の押し釦を備えた電子機器において、各押し釦の組み込み時に対応するタクトスイッチの位置に、確実に且つスムーズに組み付けることができ、組み付け状態で隣接する押し釦間の隙間を一定に且つ平行に保持でき、ＯＮ／ＯＦＦ操作時に押し釦ががたついたり、傾斜したり、回転したりせず、誰もが違和感なくＯＮ／ＯＦＦ操作できる、押し釦装置を提供することを課題としている。
【課題を解決するための手段】
【０００９】
上記の課題を解決するために本発明に係る電子機器の押し釦装置は、機器ケーシング内に配線基板が設けられ、この配線基板上に複数のタクトスイッチが間隔をあけて配置され、前記各タクトスイッチをこれらのタクトスイッチに対応する押し釦を介してそれぞれＯＮ／ＯＦＦする電子機器の押し釦装置において、前記配線基板上の前記各タクトスイッチに対向して配設され、前記各押し釦をスライド可能に支持する枠状開口部を備えた支持板と、前記各枠状開口部内に配置され、前記押し釦をその押し込み方向に抗するように弾性的に支持する押圧部とを備え、前記各押し釦の裏面には、前記枠状開口部内に嵌挿可能なガイド枠部材を突設するとともに、前記支持板の枠状開口部の下端周縁に係止可能な係止具を備えた係止片を突設し、前記各押し釦の裏面に、少なくとも1本の位置決めピンを前記ガイド枠部材から離して突設するととも、前記支持板の各枠状開口部の近傍に前記位置決めピンを嵌挿可能なピン孔を設け、前記各枠状開口部内に前記押し釦に対応して弾性アーム片の基端を連設し、前記弾性アーム片の先端部に前記押圧部を前記タクトスイッチに対向させて設けたことを特徴とする。
【００１０】
上記の構成を有する本発明に係る電子機器の押し釦装置によれば、前記各押し釦は裏面に突設されたガイド枠部材が支持板の各枠状開口部内にスライド可能に挿入され且つ弾性的に支持されているので、各押し釦の周囲をガイド枠や開口部で取り囲んだりして支持する必要がなく、各押し釦を板状に形成して大きくし、装置の表面に露呈させた状態で並べて配置することができ、したがって構造が簡略化され、厚みを薄くでき、デザイン上も優れている。また、押し釦をその押し込み方向に抗するように弾性的に支持し、タクトスイッチとの間に一定のクリアランスを確保する押圧部を備えているので、タクトスイッチ自体の操作ストロークに比べて押し釦の押し込み時のストロークを大きくすることができ、スイッチ操作が確実に且つ違和感なく行える。さらに、各押し釦の裏面に少なくとも1本の位置決めピンを前記ガイド枠部材から離して突設するととも、前記支持板の各枠状開口部の近傍に前記位置決めピンを嵌挿可能なピン孔を設けているので、各押し釦の周囲をガイド枠や開口部で取り囲んだりしない状態で、つまり各押し釦を電子機器の表面に露呈させた状態で配置した場合でも、押し釦の裏面側のガイド枠部材と支持板の枠状開口部との間に比較的大きな隙間をあけて押し釦が円滑にスライドできるようにしても、押し釦の回転が位置決めピンにより確実に阻止される。すなわち、押し釦のガイド枠部材と支持板の枠状開口部との嵌入構造で押し釦をスライド可能に支持する一方、押し釦の位置決めピンと支持板のピン孔との挿入構造で押し釦の回転を阻止すると同時に、押し釦ごとに位置決めピンの取付位置や取付方向や本数などを変えることにより、支持板の枠状開口部への誤挿入を防ぐことができる。
また、支持板の枠状開口部内に前記押し釦に対応して弾性アーム片の基端を連設し、この弾性アーム片の先端部に前記押圧部を前記タクトスイッチに対向させて設けているので、各タクトスイッチの押圧部を支持板と別体の付勢部材により押し釦の押し込み方向に抗するように付勢するのに比べて、構造が簡略化され、部品点数が大幅に削減される。
さらに、各押し釦は押圧部を介して弾性アーム片により、押し込み方向に抗するように弾性的に支持されるので、複数の押し釦のいずれでも押し込み操作時の感触が常に良好で一定しており、押し釦の表面からタクトスイッチの頭部までの距離を最小限に短縮できるから、より一層薄くすることができる。
【００１１】
請求項２に記載のように、前記支持板の前記各枠状開口部の形状を一部または全部共通にするとともに、前記各押し釦のガイド枠部材の形状を一部または全部共通にし、前記ガイド枠部材の形状が共通する前記各押し釦は、前記位置決めピンの突設位置を相互に異ならせ、それらの各位置決めピンに対応させて前記支持板にピン孔を設けることができる。
【００１２】
このように構成すれば、各押し釦の表面に押し釦の機能や種類を識別するための表示を施す場合に、押し釦の裏面に突設するガイド枠部材の向きなどとともに位置決めピンの位置や本数を押し釦ごとに変更することで、押し釦を取り付ける支持板の枠状開口部が特定され、押し釦を誤って他の枠状開口部内に取り付けたり、押し釦の取り付ける向きを間違ったりすることが防止されるうえに、押し釦を取り付けるべき枠状開口部の位置や押し釦向きなどを確認する必要がないので、組み付け作業が容易で作業効率が向上する。
【００１５】
請求項３に記載のように、前記各押し釦の裏面に、常態（非操作状態）で対応する前記押圧部に当接する突起部を突設することができる。
【００１６】
このように構成することで、押し釦の押し込み方向におけるがたつきがなくなり、操作性がより良好になる。
【発明の効果】
【００１７】
本発明に係る電子機器の押し釦装置は上記の構成からなるから、下記のような優れた効果がある。すなわち、
複数の押し釦を露呈した状態で並べて配置し、各押し釦の表面に記号や文字などを表示し、スイッチ操作する機能や種類などを押し釦の表示部で識別できるようにした場合においても、複数の押し釦を間違いなく所定の枠状開口部内に、いいかえれば対応するタクトスイッチの位置に確実に且つスムーズに組み付けることができ、その組み付け作業を効率よく行えるとともに、組み付け状態で隣接する押し釦間の隙間を一定に且つ平行に保持でき、ＯＮ／ＯＦＦ操作時に押し釦ががたついたり、傾斜したり、回転したりせず、各タクトスイッチをＯＮ／ＯＦＦ操作できる。
【発明を実施するための最良の形態】
【００１８】
以下、本発明に係る電子機器の押し釦装置について実施の形態を図面に基づいて詳細に説明する。
【００１９】
図１は本発明の実施例に係る電子機器の押し釦装置を備えた緊急告知放送端末機器において、押し釦を取り外した状態を示すやや右側方寄り正面視斜視図、図２は図１の緊急告知放送端末機器において、正面より見てやや右側方寄り背面視斜視図、図３は押し釦装置を構成する支持板と押し釦の、正面より見てやや右側方寄り背面視斜視図である。図４は押し釦装置の一部を切断した状態の、やや右側方寄り正面視斜視図、図５は図４のＡ−Ａ線断面図で、押し釦を押していない状態を表し、図６は図４のＡ−Ａ線断面図で、一の押し釦を押した状態を表している。
【００２０】
図１に示すように、緊急告知放送端末機器（電子機器）１は、機器ケーシング３の正面に正面カバー部材４が嵌合され、機器ケーシング３内に配線基板１５が収納されている。正面カバー部材４には多数の小孔が穿設され、機器ケーシング３内に収納されたスピーカー（図示せず）からの音声が聞こえるようになっている。緊急告知放送端末装置１の正面カバー部材４において、その中央部分に４隅部を円弧状に形成した略長方形状の開口部１７（図５参照）が形成され、この開口部の下の配線基板１５（図５参照）上に、図３に示すように４隅部を円弧状に形成した略長方形状の支持板５が裏面側に突出する４本の取付部材５ａを介してネジ（図示せず）で取り付けられている。支持板５の上部には、図１・図２に示すように表示パネル６が組み込まれ、下部には複数（本例では６コ）の押し釦７が３コずつ横並びに上下２列に配列される。このため、支持板５の下部には、図１・図３に示すように６コの各押し釦７に対応してそれぞれ枠状開口部８が開口されている。ここで、枠状開口部８とは、正面側開口８ａに連通する枠状部８ｂを裏面側に一体に突設した構造をいうものとする。なお、図２に示すように、機器ケーシング３の背面には、上部の一対の壁掛け用掛け止め具２１が突設され、その下方に端末機器１を机上等に立てて載置するためのスタンドアーム２２が起伏可能に取り付けられている。また、ケーブルテレビ局などからの緊急告知信号や通信データを受信するための同軸ケーブル用接続端子２３とＡＣ電源コード用接続端子２４が下部中央に設けられている。なお、その両側部には、乾電池ケースのカバー２５がそれぞれ着脱可能に取り付けられている。
【００２１】
本実施例に係る押し釦装置２では、支持板５に開口される各枠状開口部８は大小の正方形状開口を二段に積み重ね横向きにして一連に開口した形状からなり、図１・図３に示すように、正面より見て左側と中央の２つは上下２段ともに小さい方の正方形状開口（以下、小型正方形状開口という）８ｄを大きい方の正方形開口（以下、大型正方形状開口という）８ｃに対し右向きに、右側の上下２段は小型正方形状開口８ｄを大型正方形状開口８ｃに対し左向きにそれぞれ配置している。また、下段の右側と左側とは、それぞれ支持板５の下辺両隅の円弧状に対応して、大型正方形状開口８ｃの隅角部を４５°に傾斜する一辺で面取りした五角形状開口８ｃ’に形成している。そして、各枠状開口部８内において、小型正方形状開口８ｄ内の一端中央位置に弾性アーム片９の先端を大型正方形状開口８ｃ・８ｃ’の中心部に向けてその基端を連設し、この弾性アーム片９の先端部に円柱状押圧部１０を一体に上向き突設している。
【００２２】
一方、６コの各押し釦７は、矩形または略矩形の板状部７ａと、板状部７ａの裏面に突設され枠状開口部８内に嵌挿可能なガイド枠部材７ｂと、板状部７ａの裏面に突設され枠状開口部８の（枠状部８ｂ）下端周縁に係止可能な係止具７ｄを先端に設けた係止片７ｃとを備えている。各押し釦７の板状部７ａの表面には、図１のように上段の左側から順に二重丸（◎）、上向き三角形（△）、プラス（＋）、下段の左側から順に一重丸（○）、下向き三角形（▽）、マイナス（−）の各記号が表示されている。また６コの押し釦７うち、下段の左側と右側の各押し釦７の板状部７ａは、図３のように支持板５の下辺両隅の円弧状に対応して下側隅角部がそれぞれ円弧状に形成している。また、上段の左側と右側の押し釦７の、各板状部７ａの外縁には下向きの枠辺７ｅを延設し、下段の３コの押し釦７の、各板状部７ａの外縁にも下向きの枠辺７ｅを延設している。
【００２３】
また、各押し釦７のガイド枠部材７ｂについては、図３のように嵌挿される枠状開口部８の形状に対応し、正方形状または五角形状に形成している。さらに、各ガイド枠部材７ｂの対向する上下の各辺７ｆは中央部分を切り欠いており、この切り欠き部７ｇ内に外向きの係止具７ｄを先端に一体に形成した係止片７ｃを板状部７ａの裏面から突設している。この係止片７ｃは樹脂製で、ガイド枠部材７ｂの成型時に一体に形成されるが、細幅にして弾力性が十分に生じるようにし、先端の係止具７ｄが支持板５の枠状開口部８の（枠状部８ｂの）下端周縁に確実に係止されるようにしている。さらにまた、各ガイド枠部材７ｂの左または右の一辺には、弾性アーム片９に対応させて凹所７ｂ’を形成している。また、各ガイド枠部材７ｂ内において十字形の突起部７ｈを板状部７ａの裏面に一体に突設しているが、この突起部７ｈの高さ（突出量）は、押し釦７のガイド枠部材７ｂを支持板５の枠状開口部８内に嵌挿し、一対の係止片７ｃの係止具７ｄを枠状開口部８の下端周縁（枠状部８ｂの下縁）に係止させて取り付けた状態で、図５に示すように突起部７ｈが弾性アーム片９の押圧部１０に当接し、その押圧部１０が押し釦７を弾性的に上向きに支持し、この状態では弾性アーム片９は下向きに変形しない、つまり弾性アーム先端の押圧部１０とタクトスイッチ１６の頭部１６ａとのクリアランスが一定に保たれるように設定するのが好ましい。このように設定することで、図４〜図６に示すように各押し釦７は支持板５の対応する枠状開口部８内に取り付けられた状態で、弾性アーム片９を介して押圧部１０により上向きに付勢され、がたつきがない。
【００２４】
また、各押し釦７の板状部７ａの裏面に、本実施例では図３に示すようにそれぞれ1本の位置決めピン１１をガイド枠部材７ｂから離間させて突設しているが、少なくとも正方形のガイド枠部材７ｂを備えた４コの押し釦７については、位置決めピン１１を突設する位置が一致しないように、ガイド枠部材７ｂに対する向きあるいは離間距離などを変えている。また、五角形のガイド枠部材７ｂを備えた２コの押し釦７についても、ガイド枠部材７ｂに対する位置決めピン１１の位置が相互に一致しないようにガイド枠部材７ｂに対する向きおよび離間距離を変えている。一方、支持板５には、図３に示すように各押し釦７の位置決めピン１１に対応して各枠状開口部８の近傍にピン孔１２を穿設している。このように構成した結果、６コの各押し釦７は、配線基板１５（図４参照）に配置される６コのタクトスイッチ１６（図５参照）の、板状部７ａに表示された記号（図１）に対応するタクトスイッチ１６の真上に、確実に配置される。いいかえれば、作業者が緊急告知放送端末機器１（の押し釦装置２）を組み立てる際に、押し釦７を間違った位置に取り付けることがない。つまり、本実施例では各押し釦７は、図１において６コの押し釦７の１コでも、支持板５の６コの枠状開口部８において間違った枠状開口部８に取り付けようとしても取り付けることができないだけでなく、取り付ける枠状開口部８が正しい場合でも押し釦７の取り付け方向が間違っていれば、取り付けることができない。なお、図４〜図６における符号２６は乾電池である。
【００２５】
以上のようにして構成される本発明の実施例に係る押し釦装置２および同押し釦装置２を備えた緊急告知放送端末機器１について、その動作態様を説明する。
【００２６】
図４・図５に示すように、各押し釦７は非操作状態（常態）で、弾性アーム片９および押圧部１０により弾性的に支持され、上方に付勢されている。そして、この状態で、弾性アーム片９先端の押圧部１０は、タクトスイッチ１６の頭部１６ａとに一定のクリアランスが設けられている。つまり、このクリアランス（離間距離）に相当するストロークが押し釦７の操作ストロークにプラス（＋）されることにより、押し釦７によるタクトスイッチ１６の操作性を向上し、スイッチ操作時の感触を良好にしている。また、非操作時は各押し釦７の押圧部１０とタクトスイッチ１６の頭部１６ａとの間にクリアランスがあるので、各タクトスイッチ７が誤動作でＯＮすることはない。
【００２７】
そして、任意の押し釦７が押されると、図６に示すように押し釦７は枠状ガイド部材７ｂが枠状開口部８によってガイドされ、ほぼ垂直に押し込まれる。また、各押し釦７は露呈し板状部７ａの周囲に枠が設けられていないが、同時に押し釦７側の位置決めピン１１がピン孔１２でガイドされることにより、押し釦７の無用な回転が阻止される。したがって、図４・図５に示すように６コの押し釦７は隣接する押し釦７と隙間が一定に保たれ、縦方向の隙間は相互に平行になっている。そして、押し釦７から押し下げ力が取り除かれると、弾性アーム片９の下向きに変形を元の状態に戻そうとする復元力にて上向きの付勢力が生じ、押し釦７は図５に示される元の位置に確実に戻される。
【００２８】
なお、緊急告知放送端末機器１の動作は、図１に示すように◎表示の（ラジオ電源用）押し釦７を押すと、ラジオの電源が入り、表示パネル６傍のラジオ電源ランプ２７が点灯するとともに、表示パネル６の時刻表示がＦＭ受信周波数を表示する。△表示または▽表示の（選局用）押し釦７を押すことにより、受信周波数が変わって所望の放送番組を選曲できる。また、＋表示または−表示の（音量用）押し釦７を押すことで、音量を調整できる。◎表示の押し釦７を再び押すと、ラジオの電源が切れ、ラジオ電源ランプ２７が消えると同時に、表示パネル６に現在時刻が表示される。気象庁からの緊急地震速報データを受信すると、正面カバー部材４の周囲に配設されたフラッシュライト２８が点滅し、表示パネル６には予測震度が表示される。○表示の押し釦７は選択ボタンである。
【００２９】
上記に本発明の電子機器における押し釦装置について緊急告知放送端末機器１に適用した一実施例を示したが、下記のように変更して実施することも可能である。
【００３０】
1)  弾性アーム片９は片持ち支持構造にしているが、両端支持構造にしてその中央部に押圧部１０を設けて押し釦７を支持する構成とすることも可能である。
【００３１】
2)  上記実施例における位置決めピンを２本にし、各押し釦７で位置決めピン１１の位置や向きを変えることで、支持板５の枠状開口部８に対する押し釦７の取付や向きの誤りを防ぐようにしてもよい。
【００３２】
3)  支持板５の枠状開口部８およびこれに対応するガイド枠部材７ｂを円形または楕円形にすることも可能である。この場合には、位置決めピン１１だけで回り止めすることになるが、押し釦のスライド操作は一層スムーズになる。
【００３３】
4)  押し釦７を支持板５の枠状開口部８内に一体に形成した弾性アーム片９で弾性的に支持する代わりに、支持板５やその枠状開口部８とは別体のスプリング部材で押圧部１０を介して押し釦７を弾性的に支持することもできる。
【００３４】
5)  配列される押し釦７の数は限定されるものではなく、２コ以上から例えば、９コ、１２コ、２０コなど、１列に３コずつ３段、１列に３コまたは４コずつ４段または３段、１列に４コまたは５コずつ５段または４段配列することができ、押し釦７の数が増えるほど有効である。
【００３５】
6)  上記実施例では、6コのほぼ同一形状の押し釦7を上下2段に３コずつ横長矩形状に配列したが、例えば図７に示すように、一部形状の異なる複数の押し釦７を円形状（図７（ａ）参照）や楕円形状（図７（ｂ）参照）に配列することもできる。
【図面の簡単な説明】
【００３６】
【図１】本発明の実施例に係る電子機器の押し釦装置を備えた緊急告知放送端末機器において、押し釦を取り外した状態を示すやや右側方寄り正面視斜視図である。
【図２】図１の緊急告知放送端末機器において、正面より見てやや右側方寄り背面視斜視図である。
【図３】押し釦装置を構成する支持板と押し釦の、正面より見てやや右側方寄り背面視斜視図である。
【図４】押し釦装置の一部を切断した状態の、やや右側方寄り正面視斜視図である。
【図５】図４のＡ−Ａ線断面図で、押し釦を押していない状態を表している。
【図６】図４のＡ−Ａ線断面図で、一つの押し釦を押した状態を表している。
【図７】図７（ａ）は複数の押し釦を円形状に配列した例を示す正面図、図７（ｂ）は複数の押し釦を楕円形状に配列した例を示す正面図である。
【図８】従来例の説明図である。
【図９】別の従来例の説明図である。
【符号の説明】
【００３７】
１  緊急告知放送端末機器（電子機器）
２  押し釦装置
３  機器ケーシング
４  正面カバー部材
５  支持板
５ａ取付部材
６  表示パネル
７  押し釦
７ａ板状部
７ｂガイド枠部材
７ｂ’凹所
７ｃ係止片
７ｄ係止具
７ｅ枠辺
７ｇ切り欠き部
７ｈ突起部
８  枠状開口部
８ａ正面側開口
８ｂ枠状部
８ｃ大型正方形状開口
８ｃ’五角形状開口
８ｄ小型正方形状開口
９  弾性アーム片
１０  押圧部（円柱状押圧部）
１１  位置決めピン
１２  ピン孔
１５  配線基板
１６  タクトスイッチ
１６ａ頭部
２１  壁掛け用掛け止め具
２２  スタンドアーム
２３  同軸ケーブル用接続端子
２４  ＡＣ電源コード用接続端子
２５  乾電池ケースのカバー
２６  乾電池
【図１】
0005111085.tif 000002
【図２】
0005111085.tif 000003
【図３】
0005111085.tif 000004
【図４】
0005111085.tif 000005
【図５】
0005111085.tif 000006
【図６】
0005111085.tif 000007
【図７】
0005111085.tif 000008
【図８】
0005111085.tif 000009
【図９】
0005111085.tif 000010